(57)【要約】      （修正有）【課題】ルーピングを抑制することができるポットを上方に向けて開口させた状態で空中に保持することができる苗育成トレーを提供する。【解決手段】苗育成トレー１は、地面から鉛直方向上側に離間して支持され、育苗ポットを並べて配置する苗育成トレー１であって、前記育苗ポットを挿入可能な円形の開口部１１が苗の生育に必要な所定間隔を開けて複数配列される矩形の板状であって、略水平に載置される上板１２と、前記開口部１１の周縁から下方に向かって延びる垂下部１３と、前記開口部１１よりも径の小さな環状に形成されており、前記垂下部１３の下端に固定されて前記育苗ポットを支持するポット支持部１４と、を備える。【選択図】図２
0003183237.tif 000002
【実用新案登録請求の範囲】
【請求項１】
地面から鉛直方向上側に離間して支持され、育苗ポットを並べて配置する苗育成トレーであって、
前記育苗ポットを挿入可能な円形の開口部が苗の生育に必要な所定間隔を開けて複数配列される矩形の板状であって、略水平に載置される上板と、
前記開口部の周縁から下方に向かって延びる垂下部と、
前記開口部よりも径の小さな環状に形成されており、前記垂下部の下端に固定されて前記育苗ポットを支持するポット支持部と、を備えることを特徴とする苗育成トレー。
【請求項２】
前記上板の上面には、前記開口部に向かって下り勾配の傾斜が設けられることを特徴とする請求項１に記載の苗育成トレー。
【請求項３】
前記上板の対向する端縁が下方に向かって湾曲していることを特徴とする請求項１又は請求項２に記載の苗育成トレー。
【請求項４】
前記端縁から当該端縁に最も近い開口部までの距離は、苗の生育に必要な前記所定間隔以上であることを特徴とする請求項３に記載の苗育成トレー。
【考案の詳細な説明】
【技術分野】
【０００１】
本考案は、苗を育成するポットを並べて保持する苗育成トレーに関し、特に、地面から離れた位置にポットを支持して苗を育成する高設栽培に用いられる苗育成トレーに関する。
【背景技術】
【０００２】
従来より樹木等の植物の苗を育成する際には、培養土を入れたポリポットをトレーに並べ、種子を植え付けて育成し、良好な苗を選別して土壌に定着させる。この苗の育成過程では根の生育が進み、当該根がポリポットの底面近傍で巻回するルーピングが発生する恐れがある。ルーピングが発生した苗はそのまま土壌に定植させると、根張りがわるく、育成不良となる恐れがある。そこで、苗を定植する際には、根のルーピングした部分を切断してから定植する必要があった。そして、このような育成方法は、ルーピングした部分の切断に時間及び手間が掛かるとともに、根を切断することによって土壌に定植させた苗が成長しにくくなる問題があった。
【０００３】
そこで、本願の出願人は、直根性樹木の育苗方法として、上方に向けて開口するとともに上端側から下端側に向かって徐々に縮径する、生分解性の不織布からなるポットを用いて、ポットをトレーによって空中で支持して直根性樹木を高設栽培により育苗する直根性樹木の育苗方法を提案している（特許文献１）。この方法によると、下方に伸びた直根のうちポットに下端に設けられた貫通孔から突出した部分を外気に接触させて水分供給を断ち枯死させることによりルーピングを抑制することができる。
【先行技術文献】
【特許文献】
【０００４】
【特許文献１】特開２０１１−５５７２０号公報
【考案の概要】
【考案が解決しようとする課題】
【０００５】
ところで、特許文献１に記載のポットは、上端側から下端側に向かって徐々に縮径する不織布であるので、自立することができないので、このポットを上方に向けて開口するように保持することができ、しかも、下方に伸びた直根のポットから突出した部分が外気に接触することができるように空中に保持することができるトレーを用いる必要がある。
【０００６】
そこで、本考案は、ルーピングを抑制することができるポットを上方に向けて開口させた状態で空中に保持することができる苗育成トレーを提供することを目的とする。
【課題を解決するための手段】
【０００７】
請求項１に記載の苗育成トレーは、地面から鉛直方向上側に離間して支持され、育苗ポットを並べて配置する苗育成トレーであって、前記育苗ポットを挿入可能な円形の開口部が苗の生育に必要な所定間隔を開けて複数配列される矩形の板状であって、略水平に載置される上板と、前記開口部の周縁から下方に向かって延びる垂下部と、前記開口部よりも径の小さな環状に形成されており、前記垂下部の下端に固定されて前記育苗ポットを支持するポット支持部と、を備えることを特徴としている。
【０００８】
請求項２に記載の苗育成トレーは、前記上板の上面には、前記開口部に向かって下り勾配の傾斜が設けられることを特徴としている。
【０００９】
請求項３に記載の苗育成トレーは、前記上板の対向する端縁が下方に向かって湾曲していることを特徴としている。
【００１０】
請求項４に記載の苗育成トレーは、前記端縁から当該端縁に最も近い開口部までの距離は、苗の生育に必要な前記所定間隔以上であることを特徴としている。
【考案の効果】
【００１１】
請求項１に記載の苗育成トレーによると、育苗ポットを挿入可能な円形の開口部の周縁から下方に向かって垂下部が延びており、開口部よりも径の小さな環状のポット支持部が垂下部の下端に固定されているので、育苗ポットを簡単且つ確実に支持することができる。また、苗育成トレーが地面から鉛直方向上側に離間して支持されており、環状のポット支持部が育苗ポットを支持しているので、育苗ポットから突出した苗の根が外気に接触することで、水分供給を断ち枯死させることになるので、根がルーピングすることを抑制することができ、手間をかけることなく、良い根張りの苗木を育成することができる。
【００１２】
請求項２に記載の苗育成トレーによると、上板の上面が開口部に向かって下り勾配の傾斜が設けられているので、灌水した水が上板の上面から開口部に向かって流れることで、この灌水した水、追肥した液肥、及び散布した追肥などを、効率的に開口部内の育苗ポットに流し入れることができる。
【００１３】
請求項３に記載の苗育成トレーによると、上板の対向する端縁が下方に向かって湾曲しているので、例えば互いに平行な２本のパイプを地面から距離を開けて水平に架設することで、これらのパイプの間に苗育成トレーの両端を載置して架設することができ、苗育成トレーを容易に脱落の恐れなく、地面から鉛直方向上側に離間した状態に支持することができる。
【００１４】
請求項４に記載の苗育成トレーによると、苗育成トレーの端縁から当該端縁に最も近い開口部までの距離は、苗の生育に必要な所定間隔以上であるので、複数の苗育成トレーを配置する場合に、苗育成トレーの上板の端縁が互いに重なり合ったとしても、少なくとも互いに隣接する苗育成トレーの最も接近する開口部同士の間の距離が苗の生育に必要な所定間隔以上となるので、苗の生育に必要な距離を確実に確保することができる。
【図面の簡単な説明】
【００１５】
【図１】苗育成トレーを斜め上方から見た斜視図。
【図２】苗育成トレーを斜め下方から見た斜視図。
【図３】図１のＩ−Ｉ線断面図
【図４】苗育成トレーの上板の上面に開口部に向かって下り勾配に設けられた傾斜説明するために仮想線を線描した苗育成トレーを斜め上方から見た斜視図。
【図５】育苗ポットの構成を説明する育苗ポットの上端を閉じた状態の正面図。
【図６】育苗ポットに培養土を入れた状態を示す図。
【図７】育苗ポットを開口部に挿入した苗育成トレーを育成台の上に載せた状態を示す図。
【図８】育苗ポットで苗が育成された状態を示す断面図。
【考案を実施するための形態】
【００１６】
以下、本考案の苗育成トレー１の最良の実施形態について説明する。本実施形態の苗育成トレー１は、例えばクヌギ・コナラなどの直根性の強い植物の苗木の生産に用いるものであって、図７に示すように、金属製パイプ製の育成台２の上部に形成されている互いに平行な架設パイプ２１の間に水平に架設することで、地面から鉛直方向上側に離間して支持されており、苗育成トレー１の上板１２に形成された複数の開口部１１に、それぞれ、培養土４を入れた育苗ポット３を挿入して培養土４の上に播種し、苗を育成するものである。
【００１７】
まず、図１から図４を参照しつつ、苗育成トレー１の構成について説明する。苗育成トレー１は、円形の開口部１１が等間隔で複数列設される板状の上板１２と、開口部１１の周縁から下方に向かって延びる垂下部１３と、環状に形成され垂下部１３の下端に固定されるポット支持部１４とを備えている。
【００１８】
上板１２は、樹脂により幅４４ｃｍで、長さ５０ｃｍの矩形の薄い板状に形成されている。上板１２には、上下方向に貫通する径の等しい円形の開口部１１が幅方向に４行、長さ方向に５列の計２０個設けられている。各開口部１１は直径が例えば８ｃｍであって、各開口部１１の間の距離は２ｃｍである。なお、各開口部１１の直径及び各開口部１１の間の距離は、苗の生育に必要な距離を開けている。したがって、本実施形態の上板１２の寸法はこれに限定されるものではなく、苗の種類に応じて適切な寸法のものを用いることができる。
【００１９】
図３及び図４に示すように、上板１２の上面の各開口部１１の近傍にはそれぞれの開口部１１に向かって下り勾配に傾斜する正方形の領域が設けられている。また、上板１２の対向する２辺の端縁１５は下方に向かって湾曲している。また、下方に向かって湾曲している幅方向の両端縁１５からそれぞれの端縁１５に最も近い開口部１１までの距離は１０ｃｍ以上である。本実施形態において、１０ｃｍは、苗の生育に必要な間隔である。
【００２０】
垂下部１３は樹脂製の細い棒状に形成されており、その上端が上板１２の各開口部１１の周縁に固定されて下方に延びている。１つの開口部１１に、４本の垂下部１３が等間隔に設けられている。
【００２１】
ポット支持部１４は樹脂製で開口部１１よりも径の小さな例えば外周の直径が５ｃｍの環状に形成されており、垂下部１３の下端がポット支持部１４の外周面に固定されている。上板１２とポット支持部１４との鉛直方向の距離は、１０ｃｍである。苗育成トレー１を上述のような寸法に形成されることにより、上板１２に設けられた開口部１１、垂下部１３、及びポット支持部１４の内側に形成される空間は鉛直方向下側に向かって縮径する円錐台形状となっている。
【００２２】
次に、苗育成トレー１の開口部１１に挿入して苗の育成に用いる育苗ポット３について、図５を参照しつつ説明する。育苗ポット３は、略逆台形状の二枚の生分解性の熱可塑性樹脂からなる不織布３１を重ねた状態で、左右両端３２，３３及び下端３５を互いに熱溶着して袋状に形成している。育苗ポット３の上端を閉じた状態での寸法は上端の長さが１１ｃｍ、高さ１６ｃｍ、下端の長さ５ｃｍである。左右両端３２，３３は当該端３２，３３に沿って直線の破線状に熱溶着されており、下端３４は逆Ｖ字状に破線状に不連続に熱溶着により接合されている。このような形状によって、育苗ポット３内で成長した根が下端３４の接合部分に達した際に、図８に示すように、育苗ポット３内の下方に案内されやすくなって、根がルーピングしにくくなっている。また、育苗ポット３の上端は、二枚の不織布３１のうちの一方が上方に向けて膨らむように湾曲しており、他方が水平な直線状に形成されている。これによって、一方の不織布３１の上端のみをつかみ易いので、育苗ポット３に培養土４を入れる際に育苗ポット３の上端を容易に開くことができる。
【００２３】
また、育成台２は、図７に示すように、例えば地面からの高さが５０ｃｍほどの柱パイプ２２を複数本設け、これらの２本以上の柱パイプ２２の上に水平な架設パイプ２１を互いに平行に２本以上設けている。そして、複数の架設パイプ２１を横断するように固定する補強パイプ２３を設けている。なお、育成台２の形状は、これに限定されるものではなく、苗育成トレー１を載置して空中に保持することができる形状であれば如何なる形状であってもよい。
【００２４】
以上のように本実施形態の苗育成トレー１は、上板１２の対向する端縁１５が下方に向かって湾曲しているので、架設パイプ２１の間に苗育成トレー１の両端を載置して架設する際に、苗育成トレー１の脱落を簡単に防ぐことができ、地面から鉛直方向上側に離間した状態に支持することができる。
【００２５】
次に、図６から図８を参照しつつ、上述の苗育成トレー１、育苗ポット３、及び育成台２を用いた苗の育成方法について説明する。まず、図６に示すように、育苗ポット３の上端を開いて、その内部に培養土４を入れる。そして、育成台２の上に載せた苗育成トレー１の各開口部１１に培養土４入りの育苗ポット３を挿入する。各開口部１１に挿入された育苗ポット３は、開口部１１の下方に配置されているポット支持部１４によって、下部が支持される。そして、挿入した育苗ポット３の培養土４の上に所望の植物の種子５を入れる。なお、育苗ポット３に種子５を入れるまでの作業順序は必ずしもこれに限られず、育苗ポット３に培養土４及び種子５を入れてから、苗育成トレー１の開口部１１に育苗ポット３を挿入してもよい。これらの作業を終了すると、灌水、追肥などを行って、苗を育成する。
【００２６】
図８に示すように、苗育成トレー１の上面は、開口部１１に向かって下り勾配の傾斜が設けられているので、灌水した水、追肥した液肥、及び散布した追肥などが、この傾斜によって流れ、効率的に開口部１１内の育苗ポット３に流し入れることができる。
【００２７】
上述のとおり苗育成トレー１の各開口部１１は直径は８ｃｍであって、各開口部１１の間の距離は２ｃｍであるので、各開口部１１内に挿入された育苗ポット３の苗は概ね１０ｃｍ間隔で生育する。本実施形態における１０ｃｍは苗の育成に必要な所定間隔であるので、苗育成トレー１の開口部１１がこのような間隔で設けられることで、苗を十分に生育させることができる。
【００２８】
また、苗育成トレー１の下方に向かって湾曲している端縁から当該端縁に最も近い開口部１１までの距離も１０ｃｍである。１０ｃｍは、苗の生育に必要な所定間隔であるので、図７に示すように、複数の苗育成トレー１を配置する場合に、苗育成トレー１の上板１２の端縁が互いに重なり合ったとしても、少なくとも互いに隣接する苗育成トレー１の最も接近する開口部１１同士の間の距離が苗の生育に必要な所定間隔以上となるので、苗の生育に必要な距離を確実に確保することができる。
【００２９】
このように本実施形態の苗育成トレー１によると、育苗ポット３を挿入可能な円形の開口部１１の周縁から下方に向かって垂下部１３が延びており、開口部１１よりも径の小さな環状のポット支持部１４が垂下部１３の下端に固定されているので、育苗ポット３を簡単且つ確実に支持することができる。また、苗育成トレー１が地面から鉛直方向上側に離間して支持されており、環状のポット支持部１４が育苗ポット３を支持しているので、育苗ポット３から突出した苗の根は外気に接触することになり、水分供給を断ち枯死させることになるので、根がルーピングすることを抑制することができ、手間をかけることなく、良い根張りの苗木を育成することができる。
【００３０】
以上のようにして、十分に生育した苗は例えば山の斜面などの植え付けを行う場所で定植する。なお、育苗ポット３は、生分解性の樹脂により形成されているので、苗を定植する際に育苗ポット３ごと定植することができるので効率的である。
【００３１】
なお、本考案の実施の形態は上述の形態に限ることなく、本考案の思想の範囲を逸脱しない範囲で適宜変更することができることは云うまでもない。
【産業上の利用可能性】
【００３２】
本考案に係る苗育成トレー１は、直根性樹木、その他の造林樹木の苗の生産に用いる苗育成トレー１として好適に用いることができる。
【符号の説明】
【００３３】
１      苗育成トレー
３      育苗ポット
１１    開口部
１２    上板
１３    垂下部
１４    ポット支持部
【図１】
0003183237.tif 000003
【図２】
0003183237.tif 000004
【図３】
0003183237.tif 000005
【図４】
0003183237.tif 000006
【図５】
0003183237.tif 000007
【図６】
0003183237.tif 000008
【図７】
0003183237.tif 000009
【図８】
0003183237.tif 000010